【事件の表示】
　特許第５４０３６４５号に関する訂正審判事件について、次のとおり審決する。
【結　論】
　特許第５４０３６４５号の特許請求の範囲を本件審判請求書に添付された特許請求の範囲のとおり訂正することを認める。
【理　由】
第１　手続の経緯
　本件訂正審判の請求に係る特許第５４０３６４５号（以下、「本件特許」という。）は、平成２０年２月１９日の出願であって、平成２５年１１月８日に特許権の設定登録がなされ、平成２９年９月２２日に本件訂正審判の請求がなされたものである。
第２　請求の趣旨
　本件訂正審判の請求の趣旨は、本件特許の特許請求の範囲を本件審判請求書に添付した特許請求の範囲のとおり訂正することを認める、との審決を求めるものである。
第３　訂正事項
１　訂正事項１
　特許請求の範囲の請求項１における「前記外部処理手段によって生成された登録用遊技実行用情報が遊技媒介手段に送信され、」という記載のうち、
「遊技媒介手段」という部分を、
「
前記情報
２　訂正事項２
　特許請求の範囲の請求項１における「前記表示手段に表示された前記アクセス情報が外部の情報媒介手段によって取得され、」という記載のうち、
「情報媒介手段」という部分を、
「
前記
第４　当審の判断
１　訂正事項１について
（１）訂正の目的について
　本件特許の願書に添付した明細書（以下、「本件特許明細書」という。）には、「＜＜会員登録処理＞＞」（段落【０３２６】）の「＜携帯電話２１００における処理＞」（段落【０３３０】）に関して、段落【０３３０】〜【０３３４】に、「スロットマシン１０１０の表示装置１０３４に表示されたＱＲコードが、撮像素子２１２８によって撮像される」（段落【０３３０】）、「撮像したＱＲコードを解析して、ＱＲコードに含まれているＵＲＬを示す文字情報に変換することによって、遊技機サーバ３１００の所在を示すＵＲＬを取得する」（段落【０３３１】）、「入力された遊技者特定情報と携帯電話特定情報とを遊技機サーバ３１００に送信する（ステップＳ１７２０７）。上述した遊技者特定情報は、遊技者に関する情報であり、パスワードを生成するときに用いられる情報である。」（段落【０３３３】）、「遊技機サーバ３１００で生成されて送信されたパスワードを受信し」（段落【０３３４】）と記載されている。
　また、上記記載における「ＱＲコード」、「遊技機サーバ３１００」及び「パスワード」は、それぞれ、訂正前の請求項１における「登録アクセス情報」、「外部処理手段」及び「登録用遊技実行用情報」に対応するものといえる。そして、上記記載においては、「ＱＲコード」（登録アクセス情報）を取得する手段と「遊技機サーバ３１００」（外部処理手段）によって生成された「パスワード」（登録用遊技実行用情報）が送信される手段は、共に、「携帯電話２１００」となっている。
　そうすると、訂正前の請求項１の「前記登録情報出力手段から出力された前記登録アクセス情報が外部の
情報媒介手段
遊技媒介手段
　さらに、訂正前の請求項１及び本件特許明細書には、他に「遊技媒介手段」との記載もないし、本件特許明細書には、「情報媒介手段」に対応する手段（携帯電話２１００）と共に他の「遊技媒介手段」に対応する手段を用いると解釈できる旨の記載もない。
　よって、訂正前の請求項１における「遊技媒介手段」が「前記情報媒介手段」の誤記であることは明らかである。
　したがって、訂正事項１は、明らかな誤記である「遊技媒介手段」を「前記情報媒介手段」に訂正するものであるから、特許法第１２６条第１項ただし書第２号に掲げる「誤記の訂正」を目的とするものである。
（２）新規事項の追加、特許請求の範囲の拡張又は変更の有無について
　訂正後の請求項１における、「前記外部処理手段によって生成された登録用遊技実行用情報が前記情報媒介手段に送信され」る点は、上記（１）に示した通り、本件特許明細書の段落【０３３０】〜【０３３４】に開示されている。
　よって、訂正事項１に係る訂正は、本件特許の願書に添付した明細書、特許請求の範囲及び図面（以下、「本件特許明細書等」という。）のすべてを総合することにより導かれる技術的事項との関係において新たな技術的事項を導入するものではなく、本件特許明細書等に記載した事項の範囲内のものである。
　また、訂正事項１に係る訂正は、誤記の訂正を目的とするものであって、実質上特許請求の範囲を拡張し又は変更するものではない。
　したがって、訂正事項１は、特許法第１２６条第５項及び第６項の規定に適合するものである。
２　訂正事項２について
（１）訂正の目的について
　訂正前の請求項１の「前記表示手段に表示された前記アクセス情報が外部の情報媒介手段によって取得され、」との記載における「情報媒介手段」は、当該記載より前に記載された「前記登録情報出力手段から出力された前記登録アクセス情報が外部の情報媒介手段によって取得され、」との記載における「情報媒介手段」と同じ手段を意味するものであって、「前記情報媒介手段」の誤記であることは明らかである。
　したがって、訂正事項２は、明らかな誤記である「情報媒介手段」を「前記情報媒介手段」に訂正するものであるから、特許法第１２６条第１項ただし書第２号に掲げる「誤記の訂正」を目的とするものである。
（２）新規事項の追加、特許請求の範囲の拡張又は変更の有無について
　本件特許明細書には、「＜＜会員登録処理＞＞」（段落【０３２６】）に関して、段落【０３３０】に、「携帯電話２１００では、まず、遊技者が操作することにより、スロットマシン１０１０の表示装置１０３４に表示されたＱＲコードが、撮像素子２１２８によって撮像される」と記載されており、当該記載における「ＱＲコード」は、訂正前の請求項１における「登録アクセス情報」に対応するものである。
　また、本件特許明細書には、「遊技者がスロットマシン１０１０で遊技を行ったときに、そのスロットマシン１０１０で行った遊技に関する遊技関連情報を遊技機サーバ３１００に保存するための処理」である「＜＜遊技関連情報保存処理＞＞」（段落【０３４２】）に関して、段落【０３７０】に、「ＱＲコードは、携帯電話２１００の撮像素子２１２８によって撮像される」と記載されており、当該記載における「ＱＲコード」は、訂正前の請求項１における「アクセス情報」に対応するものである。
　そうすると、本件特許明細書には、登録アクセス情報を取得する情報媒介手段と、アクセス情報を取得する情報媒介手段とを、共に同じ手段（携帯電話２１００）とする点が開示されているといえる。
　よって、訂正事項２に係る訂正は、本件特許明細書等のすべてを総合することにより導かれる技術的事項との関係において新たな技術的事項を導入するものではなく、本件特許明細書等に記載した事項の範囲内のものである。
　また、訂正事項２に係る訂正は、誤記の訂正を目的とするものであって、実質上特許請求の範囲を拡張し又は変更するものではない。
　したがって、訂正事項２は、特許法第１２６条第５項及び第６項の規定に適合するものである。
第５　独立特許要件について
　訂正後の特許請求の範囲に記載された事項により特定される発明について、特許出願の際独立して特許を受けることができないとする理由は見いだせない。
　よって、訂正事項１、２は、特許法第１２６条第７項の規定に適合するものである。 
第６　むすび
　以上のとおりであるから、本件訂正審判の請求に係る訂正事項１及び２は、特許法第１２６条第１項ただし書第２号に掲げる事項を目的とするものであり、かつ、同法同条第５項、第６項及び第７項の規定に適合するものである。
　よって、結論のとおり審決する。